(57)【特許請求の範囲】
【請求項１】
（イ）浴水を外部に取り出した上浴槽に戻す循環管路と、（ロ）該循環管路上に設けられた循環ポンプと、（ハ）該循環管路と部分的に並走し、給水口から流入した水を並走部で湯に変えて出湯口から出湯する、前記循環管路とは別の給湯管路と、（ニ）該並走部において前記循環管路内の水と給湯管路内の水とを共通に加熱する、それら循環管路及び給湯管路に共通のバーナ及び熱交換器部と、（ホ）前記給湯管路における前記熱交換器部の下流部と風呂側の循環管路とを連絡し、該循環管路を通じて浴槽内に給湯を行うための供給管路と、（ヘ）装置の作動を制御する制御部と、を備えた風呂給湯設備において、
前記給湯管路における前記熱交換器部の上流部から分岐し、該熱交換器部をバイパスして、先端を前記供給管路に接続したバイパス管路を設けたことを特徴とする風呂給湯設備。
【請求項２】
請求項１に記載の風呂給湯設備において、前記バイパス管路上に該バイパス管路を通じての給水・給水停止を行うための電磁弁を設けたことを特徴とする風呂給湯設備。
【発明の詳細な説明】
【０００１】
【発明の属する技術分野】
この発明は風呂給湯設備に関し、詳しくは浴槽内の湯をうめる機能に特徴を有するものに関する。
【０００２】
【従来の技術及び発明が解決しようとする課題】
従来、湯張機能付の風呂給湯設備として、図５に示すような並走管式（２缶２水路１バーナ式）のもの、即ち浴水を外部循環させる循環管路とこれとは別の給湯管路とをそれぞれ部分的に並走させ、その並走部に共通のバーナ及び熱交換器部を設けた形態のものが用いられている。
【０００３】
同図において２００は浴槽で、２０２は浴槽２００内の浴水を浴槽２００から取り出して外部循環させた上、浴槽２００へと戻す循環管路である。
この循環管路２０２上には風呂サーミスタ２０４，循環ポンプ２０６，風呂水流スイッチ２０８が設けられている。
【０００４】
２１０は給水口２１２から流入した水を湯に換えて出湯口２１４から出湯し、水栓２３９の蛇口２４０等の吐出部に送る給湯管路で、上記循環管路２０２とは別途に設けられている。
この給湯管路２１０上にはフローセンサ２１６，給水サーミスタ２１８，出湯サーミスタ２２０，給湯確認スイッチ２２２が設けられている。
【０００５】
上記循環管路２０２と給湯管路２１０とは、並走部２２４，２２６において互いに並走しており、そこに共通の熱交換器部２２８とこれを加熱するための共通のバーナ（ここでは石油バーナ）２３０が設けられている。
【０００６】
給湯管路２１０における熱交換器部２２８の下流部からは、供給管路２３２が延び出していて、その先端が循環管路２０２に接続されており、給水口２１２から流入した水ないし熱交換器部２２８で加熱された湯が、供給管路２３２を通じて循環管路２０２を介し浴槽２００へと供給されるようになっている。
ここで、供給管路２３２上には電磁弁２３４，逆止弁２３６が設けられている。
尚、図５中２３８は装置の作動を制御する制御部である。
【０００７】
この風呂給湯設備の場合、供給管路２３２及び風呂側の循環管路２０２を通じて浴槽２００に湯張りすることができる。即ちこの風呂給湯設備は湯張機能を備えている。
【０００８】
この風呂給湯設備の場合、浴槽２００内の湯をうめるときにも同様にして供給管路２３２，循環管路２０２を用いて行う。即ち給水口２１２から流入した水を、供給管路２３２，循環管路２０２を通じて浴槽２００内に供給する。
【０００９】
しかしながらこのとき、給水口２１２から流入した水は熱交換器部２２８を通過した後に、供給管路２３２，循環管路２０２を経て浴槽２００内に供給されることから、従来次のような問題、即ち浴槽２００内のお湯をうめるために水を給水したにもかかわらず、一部加熱された湯が浴槽２００へと供給されてしまい、浴槽２００内の湯がなかなかうまらなかったりするといった問題を生じていた。
【００１０】
図６〜図８はその理由を具体的に示したものである。
先ず図６（Ｉ）は、出湯口２１４からの出湯、例えば水栓２３９の蛇口２４０からの出湯を行っているときの状態を示したもので、このとき給水口２１２から流入した水は、給湯管路２１０内を流通し、そして熱交換器部２２８による加熱によって湯となり、出湯口２１４、つまり水栓２３９の蛇口２４０から出湯する。
【００１１】
同図（II）は出湯口２１４からの出湯を停止した直後の状態を示しており、このとき給湯管路２１０における熱交換器部２２８の配管内部の水は余熱によって加熱され、熱い湯となっている。
例えば（Ｉ）において６５℃で出湯を行った場合、（II）の状態では給湯管路２１０における熱交換器部２２８の配管内部の水は熱交換器部２２８の余熱によって６５℃以上の熱い湯となっている。
【００１２】
図７（III）はその後にうめるスイッチを押して、浴槽２００内の湯をうめる操作を行ったときの状態を示したもので、このうめる操作により、給水口２１２から流入した水が、熱交換器部２２８を経て供給管路２３２へと流入し、更に循環管路２０２を流通して浴槽２００内へと給水される。そしてその給水により浴槽２００内の湯が給水分だけうめられる。
【００１３】
但しこのうめる操作を行ったとき、初期に熱交換器部２２８の余熱によって熱い湯の状態となっているものが浴槽２００内に流入することとなる。
そして給湯管路２１０における熱交換器部２２８の配管内部に残っていた湯が浴槽２００内に流入した後において、初めて冷たい水が浴槽２００内に流れ込むこととなる。
【００１４】
ところでこのようにして給水口２１２から流入した水を給湯管路２１０を通じて流通させ、供給管路２３２，循環管路２０２を経て浴槽２００に給水し、そのままうめる動作を終了してしまうと、当然ながら熱交換器部２２８は冷却状態且つ給湯管路２１０における熱交換器部２２８の配管内部には水が入っている状態となる。
従って次に出湯口２１４から出湯させるべく操作を行ったとき、出湯口２１４から冷たい水が出て来ることになる。即ち次の出湯の際の死水が多くなることとなる。
【００１５】
そこでこのようなことをできるだけ回避するため、従来の風呂給湯設備にあっては、上記うめる動作を完了する前に、例えば浴槽２００内の湯をうめるために給水を１０リットル行うとすると、最後の２〜３リットル前のところで、バーナ２３０を燃焼させて熱交換器部２２８の配管内部の水を加熱し暖めるようにしている。
ところがこのような動作を行えば必然的にうめる動作の最後のところで、つまり最後の２〜３リットル分が熱い湯として浴槽２００に供給されてしまうことになる。
【００１６】
以上のように従来の風呂給湯設備の場合、浴槽２００内の湯をうめるために浴槽２００への給水を行っても、実際には湯を浴槽２００に供給している時間が相当あり、このため浴槽２００内の湯の温度が十分に下がらないといった不都合を生じていた。
【００１７】
特に浴槽２００内の湯をうめるための操作を行った後、出湯口２１４からの出湯が頻繁に行われると、従来の風呂給湯設備の場合、その出湯の間、うめるための動作を一旦中断して待機状態となり、出湯が完全に終わった後に残りの分を浴槽２００に給水してうめる動作を行うようにしているために、浴槽２００への給水用として（うめるための水として）、熱交換器部２２８の余熱で熱くなった湯がそれだけ多く浴槽２００に供給されることとなり、場合によって浴槽２００への給水分が殆ど湯であったりするといったことが生じ得る。
従って従来の風呂給湯設備の場合、特に夏期においてうめるための操作を行っても、浴槽２００内の湯が殆どうまらないといったことが生じていた。
【００１８】
尚、従来の風呂給湯設備の場合、図６（Ｉ）〜図７（IV）に示しているようにうめる動作を行っている間、循環管路２０２上の循環ポンプ２０６は停止状態にあり、図８（Ｖ）に示しているように浴槽２００への給水を終了した時点で、初めて循環ポンプ２０６をオン状態として循環を行い、浴槽２００内の浴水を撹拌するようにしているため、風呂給湯設備におけるうめる運転時間が長くかかるといった問題も有していた。
【００１９】
【課題を解決するための手段】
本願の発明はこのような課題を解決するためになされたものである。
而して請求項１の風呂給湯設備は、（イ）浴水を外部に取り出した上浴槽に戻す循環管路と、（ロ）該循環管路上に設けられた循環ポンプと、（ハ）該循環管路と部分的に並走し、給水口から流入した水を並走部で湯に変えて出湯口から出湯する、前記循環管路とは別の給湯管路と、（ニ）該並走部において前記循環管路内の水と給湯管路内の水とを共通に加熱する、それら循環管路及び給湯管路に共通のバーナ及び熱交換器部と、（ホ）前記給湯管路における前記熱交換器部の下流部と風呂側の循環管路とを連絡し、該循環管路を通じて浴槽内に給湯を行うための供給管路と、（ヘ）装置の作動を制御する制御部と、を備えた風呂給湯設備において、前記給湯管路における前記熱交換器部の上流部から分岐し、該熱交換器部をバイパスして、先端を前記供給管路に接続したバイパス管路を設けたことを特徴とする。
【００２０】
請求項２の風呂給湯設備は、請求項１に記載の風呂給湯設備において、前記バイパス管路上に該バイパス管路を通じての給水・給水停止を行うための電磁弁を設けたことを特徴とする。
【００２１】
【作用及び発明の効果】
上記のように請求項１の風呂給湯設備は、給湯管路における熱交換器部の上流部から分岐し、給湯管路における給水口から流入した水を熱交換器部をバイパスして循環管路に導くバイパス管路を設けたもので、この風呂給湯設備の場合、給水口から流入した水を熱交換器部を経由することなくバイパス管路を通じて直接的に浴槽へと給水でき、従ってこの風呂給湯設備によれば、うめる動作を行うときその当初から最終まで常に冷たい水をうめるための水として浴槽に給水できる。
【００２２】
即ちこの請求項１の風呂給湯設備によれば、浴槽内の湯をうめるときに、給湯管路における熱交換器部の配管内部に残っていた熱い湯が浴槽へと供給されてしまうといったことを回避でき、確実に冷たい水を浴槽へと給水することができる。
従ってこの風呂給湯設備によれば、浴槽内の湯を確実に所望温度まで低下させ、うめることができる。
【００２３】
請求項２のものは、上記バイパス管路上にこれを開閉する電磁弁を設け、その電磁弁によって浴槽への給水・給水停止を行うようになしたもので、この風呂給湯設備の場合、バイパス管路を通じての浴槽への給水を、その電磁弁の開閉に基づいて簡単且つ良好に制御することができる。
【００２４】
【実施例】
次に本発明の実施例を図面に基づいて詳しく説明する。
図１は湯張機能付の風呂給湯設備を示したもので、図示のようにこの例の風呂給湯設備は並走管式（２缶２水路１バーナ式）のものである。
同図において１０は浴槽で、１２は浴槽１０内の浴水を浴槽１０から取り出して外部循環させた上、浴槽１０へと戻す循環管路である。
【００２５】
この循環管路１２上には第一サーミスタ１４，循環ポンプ１６，風呂水流スイッチ１８及び第二サーミスタ２０が設けられている。
ここで第一サーミスタ１４は浴槽１０内の浴水の温度を検知する風呂サーミスタとしてのものであり、また第二サーミスタ２０は循環管路１２における後述の熱交換器部４０の出口温度を検知するもので、かかる熱交換器部４０の下流部に設けられている。
【００２６】
２２は給水口２４から流入した水を湯に換えて出湯口２６から出湯する給湯管路で、上記循環管路１２とは別途に設けられている。
尚この例では出湯口２６に水栓２８が接続されており、出湯口２６から流出した湯が水栓２８の蛇口３０から吐出される。
但し出湯口２６への水栓２８の接続はあくまで１つの例であって、他の様々な吐水用の器具が一般に出湯口２６に接続される。
この給湯管路２２上にはフローセンサ３２，給水サーミスタ３４，出湯サーミスタ３６，給湯確認スイッチ３７が設けられている。
【００２７】
上記循環管路１２と給湯管路２２とは並走部３８，３９において互いに並走しており、そこに共通の熱交換器部４０とこれを加熱するための共通のバーナ（本例では石油バーナ）４２が設けられている。
給湯管路２２における熱交換器部４０の下流部からは供給管路４４が延び出していて、その先端が循環管路１２に、詳しくは循環ポンプ１６と風呂水流スイッチ１８との間の部位に接続されている。
この供給管路４４上には第一電磁弁４６，逆止弁４８が設けられている。
【００２８】
この供給管路４４は、浴槽１０に湯張りを行うときに熱交換器部４０で加熱された湯を、この供給管路４４を通じて循環管路１２内に導き、その循環管路１２を経由して浴槽１０へと供給する。また浴槽１０に給水するに際しても、この供給管路４４を通じて行うことができる。
但し浴槽１０への給水については、後述するバイパス管路５０を通じて行うこともできる。特に浴槽１０内の湯をうめる動作を行うときには、このバイパス管路５０を通じて浴槽１０への給水を行う。
【００２９】
５０は給水口２４から流入した水を、熱交換器部４０をバイパスして循環管路１２内に導くバイパス管路で、給湯管路２２における熱交換器部４０の上流部から分岐して延び出し、先端が上記供給管路４４に、詳しくは供給管路４４における逆止弁４８の下流部に接続されている。
このバイパス管路５０上には第二電磁弁５２，逆止弁５４が設けられている。
尚、５６は装置の作動を制御する制御部であり、５８は操作装置としての遠隔操作用のリモコンである。
【００３０】
本例の風呂給湯設備は湯張機能付のもので、その湯張動作は次のようにして行われる。
即ち、給水口２４から流入した水が給湯管路２２内を流通し、そして熱交換器部４０においてバーナ４２の燃焼により加熱されて湯となり、供給管路４４を通じて循環管路１２内に流入し、更にその循環管路１２を通じて浴槽１０内に供給される。
【００３１】
尚この湯張動作の際、当然ながら供給管路４４上の第一電磁弁４６は開状態にある。
この第一電磁弁４６の作動制御は、リモコン５８からの信号に基づいて制御部５６により行われる。
従ってこのとき、当然ながらバイパス管路５０上の第二電磁弁５２はオフ状態、即ち閉状態に保持される。
この第二電磁弁５２の作動制御も制御部５６によって行われる。
尚出湯口２６から出湯を行う際には、フローセンサ３２からの信号に基づいて制御部５６により第一電磁弁４６，第二電磁弁５２共に閉状態に保持される。
【００３２】
この風呂給湯設備では、浴槽１０に冷たい水を給水する場合にも供給管路４４を通じて行うことができる。
このときバーナ４２は非燃焼状態にある。即ちバーナ４２を燃焼させない状態で、湯張りと同様にして浴槽１０に給水口２４からの水を供給することで、浴槽１０内に冷たい水を張ることができる。
【００３３】
但し本例ではバイパス管路５０が付加されており、浴槽１０への給水はそのバイパス管路５０を通じて行うこともできる。
本例において、バイパス管路５０は特に浴槽１０内の湯をうめる際に、給水口２４から流入した水を浴槽１０へと供給するために設けられたものである。
【００３４】
次にこのバイパス管路５０の機能を含む本例の風呂給湯設備の各動作状態を、図２及び図３に基づいて詳しく説明する。
先ず図２（Ｉ）は出湯口２６、即ち水栓２８の蛇口３０から出湯を行っているときの動作状態を示したもので、このとき給水口２４から流入した水は、給湯管路２２を流通して熱交換器部４０で加熱されて湯となり、その後給湯管路２２における熱交換器部４０の下流部を流通して出湯口２６，つまり水栓２８における蛇口３０から出湯される。
このとき供給管路４４及びバイパス管路５０における各電磁弁４６，５２は制御部５６によって閉状態に保持されている。
【００３５】
次に図２（II）は出湯口２６からの出湯を停止した直後の状態を示しており、このとき給湯管路２２における熱交換器部４０の配管内部は余熱によって熱い湯の状態となっている。
この状態で次に浴槽１０内の湯をうめるべく操作がされたとき、上述したように従来の風呂給湯設備にあっては、その熱交換器部４０の配管内部の熱い湯がそのまま浴槽１０へと供給されてしまうが、本例ではこのうめる運転動作の際、熱交換器部４０の配管内部の熱い湯は浴槽１０へと供給されず、給水口２４から流入した水がバイパス管路５０を通じて循環管路１２へと導かれ、その循環管路１２を通じて浴槽１０へと給水される。
【００３６】
即ちそのうめる運転の際には、図３（III）に示しているように制御部５６によって供給管路４４上の第一電磁弁４６が閉状態，バイパス管路５０上の第二電磁弁５２が開状態とされ、給水口２４から流入した水が、熱交換器部４０を経由することなくバイパス管路５０を通じて直接的に循環管路１２内に流入し、浴槽１０へと供給される。
【００３７】
尚このとき、循環管路１２上の循環ポンプ１６は制御部５６によってオン状態とされる。従って給水口２４からの冷たい水が浴槽１０内に流入する際に、循環ポンプ１６の強制循環に基づいて浴槽１０内の浴水が撹拌される。
【００３８】
以上のように本例の風呂給湯設備では、給水口２４から流入した水を、熱交換器部４０を経由することなくバイパス管路５０を通じて直接的に浴槽１０へと給水するようにしており、従ってこの風呂給湯設備によれば、うめる動作を行うときその当初から最終まで常に冷たい水をうめるための水として浴槽１０に給水できる。
【００３９】
即ち本例の風呂給湯設備によれば、浴槽１０内の湯をうめるときに、給湯管路２２における熱交換器部４０の配管内部に残っていた熱い湯が浴槽１０へと供給されてしまうといったことがなく、確実に冷たい水を浴槽１０へと給水することができる。従って浴槽１０内の湯を確実に所望温度まで低下させ、うめることができる。
尚この場合において、バイパス管路５０の先端は循環管路１２に接続（供給管路４４の一部を介して）しているため、バイパス管路５０を通じて給水された水は循環管路１２を経て浴槽１０内に給水される。
【００４０】
また本例の風呂給湯設備の場合、バイパス管路５０を通じての浴槽１０への給水を、その第二電磁弁５２の開閉に基づいて簡単且つ良好に制御することができる。
更にこの風呂給湯設備の場合、浴槽１０内の湯をうめるための運転時間を短縮化することができる。
【００４１】
図４は本発明の比較例を示している。
図示のようにこの例では、給湯管路２２における熱交換器部４０の上流部から分岐させたバイパス管路５０の先端を、直接循環管路１２に、詳しくは熱交換器部４０の下流部であって浴槽１０に近い位置において循環管路１２に接続している。
【００４２】
上記第一の実施例の場合、バイパス管路５０を通じて冷たい水を供給し浴槽１０内部の湯をうめる際に、循環ポンプ１６の駆動によって、循環管路１２における熱交換器部４０の配管内部が冷たい水で置き換わってしまい、これにより給湯管路２２における熱交換器部４０の配管内部が冷却されてしまうこととなるが、図４に示す例の場合、バイパス管路５０を通じて供給された冷たい水は、循環ポンプ１６の駆動の下で熱交換器部４０を経由することなく直接浴槽１０へと流入する。そして浴槽１０内の温かい湯が循環ポンプ１６の駆動の下に循環管路１２における熱交換器部４０の配管内部を流通する。
【００４３】
従ってこの図４に示す例の場合、浴槽１０内の湯をうめるために供給された冷たい水によって給湯管路２２における熱交換器部４０の配管内部が冷却されてしまうといった不都合を生じない。
【００４４】
以上本発明の実施例を詳述したがこれはあくまで一例示であり、本発明はその主旨を逸脱しない範囲において種々変更を加えた形態で構成可能である。
【図面の簡単な説明】
【図１】本発明の一実施例である風呂給湯設備の概略構成図である。
【図２】図１の風呂給湯設備の一動作状態を示す図である。
【図３】図１の風呂給湯設備の、図２とは異なる動作状態を示す図である。
【図４】本発明の比較例を示す図である。
【図５】従来の風呂給湯設備の概略構成図である。
【図６】図５の風呂給湯設備の一動作状態を示す図である。
【図７】図５の風呂給湯設備の、図５とは異なる動作状態を示す図である。
【図８】図５の風呂給湯設備の、図５及び図６とは異なる動作状態を示す図である。
【符号の説明】
１０  浴槽
１２  循環管路
１６  循環ポンプ
２２  給湯管路
２４  給水口
２６  出湯口
３８，３９  並走部
４０  熱交換器部
４２  バーナ
４４  供給管路
５０  バイパス管路
５２  第二電磁弁
５６  制御部
【図１】
0003601663.tif 000002
【図２】
0003601663.tif 000003
【図３】
0003601663.tif 000004
【図４】
0003601663.tif 000005
【図５】
0003601663.tif 000006
【図６】
0003601663.tif 000007
【図７】
0003601663.tif 000008
【図８】
0003601663.tif 000009